【事件の表示】
　特許第２９６３９２１号「配線ボックスへのケーブル引込みガイド」の請求項５に係る特許に対する特許異議の申立てについて、次のとおり決定する。
【結　論】
　訂正を認める。
　本件特許異議の申立てを却下する。
【理　由】
１．手続の経緯
　本件特許異議申立てに係る特許第２９６３９２１号は、平成９年１２月２５日に特許出願され、平成１１年８月１３日に特許の設定登録され、同年１０月１８日に特許掲載公報が発行されたものである。
　その後、平成１１年１１月３０日に奥野英雄より請求項５に係る特許に対して特許異議の申立てがなされ、平成１２年７月１１日に請求項５に係る発明に対して取消理由通知がなされ、その指定期間内である平成１２年９月２５日に訂正請求がなされたものである。
　
２．訂正の適否についての判断
(１)訂正請求の要旨
　本件訂正請求の要旨は次のとおりである。即ち、
(イ)【特許請求の範囲】の【請求項５】を削除する。
(ロ)【発明の詳細な説明】中の【０００６】、【００１７】、【００１８】の記載を削除する。
(ハ)【図面の簡単な説明】中の【図１０】の説明を削除する。
(ニ)【図１０】を削除する。
(２)訂正の目的の適否及び拡張、変更の存否
　上記訂正(イ)は、特許請求の範囲の請求項５を削除するものであるから、特許請求の範囲の減縮を目的とするものに該当し、願書に添付した明細書又は図面に記載した事項の範囲内のものであり、又、実質的に特許請求の範囲を拡張又は変更するものでもなく、訂正後の特許請求の範囲に記載された発明が出願の際独立して特許を受けることができるものである。
　上記訂正(ロ)乃至(ニ)は、上記(イ)の訂正に伴い、明細書の記載から請求項５に係る発明に関連する記載を削除することにより、発明の詳細な説明の記載を特許請求の範囲の記載と対応させるものであるから、明りょうでない記載の釈明を目的にしたものに該当する。
(３)むすび
　上記のとおり、本件訂正(イ)乃至(ニ)は、特許法第１２０条の４第２項ただし書き各号に規定する目的に合致し、同条第３項で準用する同法第１２６条第２乃至４項の規定に適合するものであるから、当該訂正を認める。
　
３．特許異議の申立てについての判断
　本件訂正が認められ請求項５に係る発明は削除されたから、特許異議の申立ての対象である請求項５に係る特許は存在しないこととなった。
　したがって、本件特許異議の申立ては不適法なものであり、特許法第１２０条の６により準用する同法第１３５条の規定により却下する。
　よって、結論のとおり決定する。
【異議決定日】
平成１２年１０月２３日（２０００．１０．２３）
【訂正の要旨】
本件特許異議申立に係る特許についての訂正の要旨は、次のとおりである。
特許請求の範囲の減縮を目的として、
（１）【特許請求の範囲】の【請求項５】を削除する。
明りょうでない記載の釈明を目的として
（２）【発明の詳細な説明】中の【０００６】、【００１７】、【００１８】の記載を削除する。
（３）【図面の簡単な説明】中の【図１０】の説明を削除する。
（４）【図１０】を削除する。
（５４）【発明の名称】
配線ボックスヘのケーブル引込みガイド
（５７）【特許請求の範囲】
　　【請求項１】　ケーブル出し入れ用開口穴（２）を備えた基板（１）と、前記開口穴（２）の縁部に設けられたガイドプレート（３）に沿って開口穴軸方向に移動調整自在に取り付けられたローラーフレーム（４）と、該ローラーフレーム（４）の上下の少なくとも一方に回転自在に取り付けられたローラー（５）とから成り、前記基板（１）は、配線ボックス（Ａ）の開口面（９）に平行な姿勢で着脱自在に連結できるように構成され、前記ローラー（５）が配線ボックス（Ａ）の開口面から配線ボックス内に挿入配置できるようにその寸法が設定されている配線ボックスヘのケーブル引込みガイド。
　　【請求項２】　前記ローラーフレーム（４）の一端部にローラー（５）が設けられている請求項１に記載の配線ボックスヘのケーブル引込みガイド。
　　【請求項３】　前記ローラーフレーム（４）の上下両端部にローラー（５），（５）が設けられている請求項１に記載の配線ボックスヘのケーブル引込みガイド。
　　【請求項４】　前記基板（１）が配線ボックス（Ａ）の開口面（９）に対して平行な姿勢を保持した状態で９０度の角度で取付位置が変更できるように形成されている請求項１、２または３に記載の配線ボックスヘのケーブル引込みガイド。
【発明の詳細な説明】
　　　【０００１】
　　【発明の属する技術分野】
　本発明は、建築物に対する電気配線工事において、壁面等に埋め込まれた埋設配管に繋がる配線ボックスから電線や電話線、光ケーブル等のケーブル類やアース線を引き出す作業の際に使用するガイドに関する。
　　　【０００２】
　　【従来の技術】
　従来、建築物の壁面にスイッチやブレーカー等の機器を設置する場合、壁面に埋め込まれた埋設配管から壁面の要所に配置された配線ボックスを経て外部にケーブルを引き出して結線したり、この線端を必要な機器や差し込みコンセント等に接続した後、配線ボックスを化粧蓋で閉塞している。
　　　【０００３】
　　【発明が解決しようとする課題】
　しかし、従来ではケーブルを配線ボックス内に引き出す際に、配線ボックスに連結した電線保護管の切断端部の内周縁部分にケーブルが摺接し、略直角に屈曲され、引張り抵抗が大きくなって引き出し操作が困難であると共に、ケーブル被覆を損傷させる大きな原因となっている。また、配線ボックスは多くの場合、壁面の隅角部や低位置に配置されているため、作業者が自由な方向に引き出すことができず、作業性を一層困難なものにしている。
　　　【０００４】
　そこで本発明は、ケーブルの被覆を損傷させることなく、軽い力で容易に配線ボックス内にケーブルを引出すことができるケーブル引き込みガイドと、更にはケーブル引き出し時のガイドとなるローラーを配線ボックス内の好ましい深さ位置に調整することのできるケーブル引込みガイドを簡単な構造で提供することを主たる目的とする。
　　　【０００５】
　　【課題を解決するための手段】
　該目的を達成するために本発明では、次のような手段を講じた。即ち本発明に係る深さ調整自在としたケーブル引込みガイドにあっては、ケーブル出し入れ用開口穴２を備えた基板１と、前記開口穴２の縁部に設けられたガイドプレート３に沿って開口穴軸方向に移動調整自在に取り付けられたローラーフレーム４と、該ローラーフレーム４の上下の少なくとも一方に回転自在に取り付けられたローラー５とによって構成した。また、基板１は、ビス等の手段を介して配線ボックスＡの開口面９に平行な姿勢で着脱自在に連結できるように構成されている。また、前記ローラー５は、配線ボックスＡの開口面から配線ボックス内に挿入配置できるようにその寸法を予め設定してある構成のものとしてある。
　　　
【０００６】
　　【発明の実施の形態】
　上記のケーブル引込みガイドは、図２〜図４に示すように、壁面Ｂに埋め込まれた配線ボックスＡの開口面に面して壁面Ｂの前面に貼り付け、ビス６，６で配線ボックスＡに連結固定する。この時、予め配置されている配線ボックスＡの位置が、壁厚や施工時の条件によって異なっているので、ローラーフレーム４をガイドプレート３に沿ってスライドさせて、ローラー５が配線ボックスＡ内の適切な位置に成るように調整する。こうして配線ボックスＡに連なる埋設配管ＣからケーブルＫをローラー５を介して配線ボックス前方に引き出すようにすれば、ケーブルが略直角に屈曲されてもローラーの回転によって円滑に且つ傷つけることなく行うことができる。
　　　
【０００７】
　前記基板１は、配線ボックスＡの開口面９に対して平行な姿勢を保持した状態で９０度の角度で取付位置が変更できるように構成するのがよい。こうすれば、基板１の取付方向を変えることにより配線ボックスＡへの埋設配管Ｃの接続方向に合わせてローラー５の向きを変更することができる。
　　　
【０００８】
　　【実施例】
　図１乃至図４は本発明に係る深さ調整自在としたケーブル引込みガイドの一実施例を示した図であって、ケーブル出し入れ用開口穴２を備えたフラットな平面４角形の基板１と、前記開口穴２の相対する縁部で基板表面に対して垂直に立設された一対のガイドプレート３，３と、該ガイドプレート３，３に沿って開口穴軸方向に移動調整自在に取り付けられたローラーフレーム４とからなり、該ローラーフレーム４の下端にローラー５が回転自在に取り付けられている。
　　　
【０００９】
　本実施例において前記ガイドプレート３，３は、その両端縁が折り曲げられてレール３ａ…が形成されており、このレール３ａにローラーフレーム４が摺動自在に係入されている。またローラーフレーム４の左右側板４ａ，４ａに、上下に所定の間隔を隔ててネジ孔４ｃ…が設けられ、この何れかのネジ孔４ｃにガイドプレート３のネジ挿入孔７から蝶ネジ等の固定用ネジ８を螺入することによりローラーフレーム４を、ローラーが所望の任意深さの位置で定着できるように構成されている。
　　　
【００１０】
　前記前記基板１は、基板側に設けたビス孔１２…からビス６を配線ボックスＡのネジ孔１３…に螺入することによって、建築物の壁面Ｂに埋設された配線ボックスＡの開口面に平行な姿勢で着脱できるように構成されている。また、前記ローラー５は、配線ボックスＡの開口面９から配線ボックス内に挿入配置できるようにその寸法が予め設定されている。
　　　
【００１１】
　壁面に予め埋設されている前記配線ボックスＡは開口部９を一面に設けた立方体の形態をなし、四方の側面１０…に引きちぎって開放することが可能な盲蓋１１…が設けられている。そしてこの任意の盲蓋１１を剥がしてこれに壁面内に埋設された埋設配管Ｃが接続されている。
　　　
【００１２】
　上記のケーブル引込みガイドは、図２〜図４に示すように、壁面Ｂに埋め込まれた配線ボックスＡの開口面に面して壁面Ｂの前面に貼り付け、ビス６，６で配線ボックスＡに連結固定する。この際、固定ビス８を緩めてローラーフレーム４をガイドプレート３に沿ってスライドさせることにより、ローラー５を配線ボックスＡ内の適切な位置に調整する。このようにして配線ボックスＡに連なる埋設配管ＣからケーブルＫをローラー５を介して配線ボックス前方に引き出すようにすれば、ケーブルが略直角に屈曲されてもローラーの回転によって円滑に且つ傷つけることなく引き出すことができる。
　　　
【００１３】
　前記基板１は、配線ボックスＡの開口面９に対して平行な姿勢を保持した状態で９０度の角度で取付位置が変更できるように構成するのがよい。本実施例では基板１の四方に二対四個のビス挿入孔１２…が設けられ、何れか対のビス挿入孔１２、１２からビス６，６を配線ボックスＡのビス孔１３，１３に螺入することにより図９に示すようにローラー５と共に基板１の取付方向を変えることができ、これにより配線ボックスＡへの埋設配管Ｃの接続方向に合わせてローラー５の向きを変更することができる。
　　　
【００１４】
　本発明において、前記ガイドプレート３のレール３ａ…は図５に示すようにコの字状に屈曲して形成してもよい。また図７に示すようにローラーフレーム４側にレール４ｂ…を設けてこれにガイドプレート３を摺動自在に係入して構成することも可能である。
　　　
【００１５】
　また前記実施例ではローラーフレーム４に一つのローラー５を設けた実施例を示したが、図７に示すようにローラーフレーム４の上下両方にローラー５，５を設けてもよい。こうすれば、ケーブルＫ配線ボックスＡから前方に引き出した後、さらに外側に位置するローラー５を介して横方向に屈曲して引き出すことができて壁面隅角部等での結線作業に便利である。
　　　
【００１６】
　以上本発明の代表的と思われる実施例について説明したが、本発明は必ずしもこれらの実施例の構造のみに限定されるものではない。例えば、図８に示すように、前記ガイドプレート３並びにこれに係入するローラーフレーム４の側板４ａをそれぞれ１つで形成することも可能である。その他本発明では前記の構成要件を備え、本発明にいう目的を達成し、以下にいう効果を有する範囲内において適宜改変して実施することができるものである。
　　　
【００１７】
　　【発明の効果】
　本発明に係るケーブル引込みガイドにあっては、配線ボックス内に挿入配置されるローラーによって、ケーブルを傷つけることなく、軽い力で容易に配線ボックスから引出すことのでき、しかもローラーを位置調整可能としたから、常に配線ボックスの内の好ましい位置にローラーを配置することができてケーブル引き出し操作をよりスムーズに行うことができるといった優れた効果がある。
　　　
【００１８】
　また、請求項４に記載のように、基板を配線ボックスの開口面に対して平行な姿勢を保持した状態で９０度の角度で取付位置が変更できるように構成することにより、ローラーと共に基板の取付方向を変えることができ、これにより配線ボックスヘの埋設配管の接続方向に合わせてローラーの向きを変更することができて四方何れからのケーブルの引き出しにも対応させることができる効果がある。
【図面の簡単な説明】
　　【図１】
　本発明に係るガイドの分解斜視図で、配線ボックスも共に図示されている。
　　【図２】
　上記ガイドの取付前を示す断面図。
　　【図３】
　上記ガイドの使用状態を示す断面図。
　　【図４】
　上記ガイドの使用状態を示す斜視図。
　　【図５】
　上記ガイドにおけるガイドプレートの他の実施例を示す斜視図。
　　【図６】
　上記ガイドの他の実施例を示す斜視図。
　　【図７】
　上記ガイドの更に他の実施例を示す斜視図。
　　【図８】
　上記ガイドの更に別の実施例を示す斜視図。
　　【図９】
　上記ガイドの別の使用例を示す斜視図。
　　【符号の説明】
　１　基板
　２　開口穴
　３　ガイドプレート
　４　ローラーフレーム
　５　ローラー
　９　配線ボックスの開口面
　Ａ　配線ボックス